(57)【特許請求の範囲】
【請求項１】
割引許可フラグ、割引率、利用回数、個人特定情報が書き込まれたＩＣカードと、該ＩＣカードがセットされたとき、ＩＣカードのデータを読み取り、券売機の入力手段より入力された個人特定情報とＩＣカードに書き込まれた個人特定情報とを比較して認証を行い、認証後割引ボタンが選択されたことを条件に、割引許可フラグを参照して割引率を識別し、カード履歴から割引の有効性をチェックした後、割引のある区間の乗車券を発券可能な券売機とを備えた割引乗車券自動発券システム。
【請求項２】
前記券売機は、ＩＣカードの有効性が喪失したことを条件に、割引乗車券の発券を禁止することを特徴とする請求項１記載の割引乗車券自動発券システム。
【発明の詳細な説明】
【０００１】
【発明の属する技術分野】
本発明はＩＣカードを使って割引乗車券を自動発券するシステムに関する。
【０００２】
【従来の技術】
鉄道運賃に適用される学生割引、身障者割引は、定期券や乗車券の購入において有効であるが、このような特定の人に割引して発行する乗車券は、窓口において購入申請書とともに学生割引証明書、身障者割引証明書等の受益者証明書を提出し、発券者側では受益者に該当するか否かを確認した後、乗車券を発行している。
【０００３】
【発明が解決しようとする課題】
このような従来の割引乗車券の発券システムは、購入する側にとっては、いちいち受益者証明書を提出しなければならないため、その手続きが面倒であり、発券者側では発券の自動化が困難で、手間のかかる作業となっている。さらに、このような乗車券は不正に利用される可能性があり、例えば、学生割引証の場合、年間１０枚までというような制限が付されており、１０枚使いきっても友達から借りたり、あるいは社会人が学生から借りて割引乗車券を購入しても発券者側で使用制限違反の不正使用か否かを発見することは困難である。
【０００４】
本発明は上記課題を解決するためのもので、発見者側、受益者側ともに手続きが簡素化でき、かつ不正使用の防止を図ることが可能な割引乗車券自動発券システムを提供することを目的とする。
【０００５】
【課題を解決するための手段】
本発明の割引乗車券自動発券システムは、割引許可フラグ、割引率、利用回数、個人特定情報が書き込まれたＩＣカードと、該ＩＣカードがセットされたとき、ＩＣカードのデータを読み取り、券売機の入力手段より入力された個人特定情報とＩＣカードに書き込まれた個人特定情報とを比較して認証を行い、認証後割引ボタンが選択されたことを条件に、割引許可フラグを参照して割引率を識別し、カード履歴から割引の有効性をチェックした後、割引のある区間の乗車券を発券可能な券売機とを備えたことを特徴とする。
また、本発明の券売機は、ＩＣカードの有効性が喪失したことを条件に、割引乗車券の発券を禁止することを特徴とする。
【０００６】
【発明の実施の形態】
以下、本発明の実施の形態について説明する。
図１は本発明のＩＣカードを使って自動的に割引乗車券を発券するシステムを説明する図である。
ＩＣカード発行装置１は、大学、市役所等に設置されて学生用のＩＣカード、身障者用のＩＣカードを発行するものである。例えば、大学で学生にＩＣカードを発行する場合を考えると、前もって学生のデータを磁気テープまたはフロッピーディスク等に記憶させておき、このデータをパソコン１ａでＩＣカードに書き込めるような形式に変換し、リーダ／ライター１ｂにより発行する。この場合、ＩＣカード２に設けられた磁気ストライプにあらかじめ照合情報を書き込んでおき、この照合情報と合致するデータをＩＣカードファイルから検索し、ＩＣカードデータをＩＣチップに書き込むようにする。なお、ＩＣカードの発行は、パーソナルコンピュータに代えて、専用機等必要に応じて他のどのような手段を用いてもよい。
【０００７】
このＩＣカード２を券売機３にセットすると認証が行われ、券売機の割引ボタンが押されると、ＩＣカードに利用区間のデータが予め入力されている場合、券売機３ではこのデータを読み取って自動的に割引乗車券４を発券する。ＩＣカードに利用区間のデータが予め入力されていない場合には、乗車区間を手入力することにより発券する。なお、割引乗車区間は全区間、あるいは所定距離（例えば、１００ｋｍ）以上の区間などがあり、所定距離以上の区間と決められている場合には、これ以下の乗車区間の場合には通常料金となり、このときにはＩＣカードはプリペイドカードとしてのみ機能することになる。
【０００８】
ＩＣカードには、図２に示すように、割引許可フラグ、割引率、利用回数、暗証番号が書き込まれている。割引許可フラグは、例えば、学生は「１」、身障者は「２」というようにセットされ、それに応じて「割引率」が設定されている。
図３は券売機のデータ処理・制御機構を説明する図である。
ＣＰＵからなる券売機のデータ処理制御装置３０は、割引ボタン、ＩＣカード、入力キー、投入金額読み取り装置、プリペイドカードのデータを取り込んで処理し、表示装置、プリンタ、釣銭装置、返却装置を駆動制御している。
すなわち、データ処理制御装置３０は、入力キーからの暗証番号で認証し、ＩＣカードの割引許可フラグ、割引率を読み取るとともに、割引ボタンの操作信号を取り込んで表示装置の料金を変更し、ＩＣカード或いは入力キーから送られるデータで乗車区間を判定し、さらに必要な料金が投入されたか、あるいはプリペイドカードの残額が必要料金以上あることを条件に、プリンタで乗車券を印刷して発券する。投入金額と乗車料金とに差がある場合には、釣銭装置より釣銭を払い戻す。
【０００９】
図４は本発明における券売機を説明するための概念図である。
券売機３の上部には、発券される乗車券の種類が表示されており、中央の表示パネル１１はタッチパネルになっていて料金ボタンが配置されている。料金ボタンの横には選択ボタン１２と割引ボタン２０が配置され、選択ボタンにより近距離券、回数券、グリーン券、定期券等、購入する乗車券の種類が選択され、選択に応じてパネルの表示が変更され、また、割引ボタン２０を押すと割引料金体系の表示に変更されるようになっている。割引率は、学生２０％、身障者５０％であり、ＩＣカードには、学生割引の場合にはフラグ「１」、身障者割引の場合にはフラグ「２」がセットされているので、券売機ではこれを識別して対応する割引料金を適用するようになっている。また、表示パネルの下側には、プリペイドカード等の挿入口、コイン挿入口、紙幣挿入口の他に、ＩＣカード挿入口１３とテンキー１４が設けられている。なお、受口１５は、購入した乗車券、釣銭、プリペイドカード等の受口である。
【００１０】
この券売機を用いて、例えば学生割引で割引のある区間の乗車券を発券する場合、図３に示したＩＣカードを挿入口１３に挿入するとともに、テンキー１４から暗証番号を入力した後、割引ボタン２０を押す。券売機ではＩＣカードから学生割引であることを識別し、タッチパネルには、図５に示すように学割料金を表示し、ＩＣカードに乗車区間が予め設定されている場合には、自動的に発券が行われる。ＩＣカードに乗車区間が予め設定されている場合には、所望の料金ボタンに指で触れ、プリペイドカードあるいは現金で必要な金額を投入すると受口１３には割引乗車券が発券される。
【００１１】
次に、本発明の発券処理について、学生割引を例にとって図６の処理フローにより説明する。
まず、券売機にＩＣカードをセットし（ステップ１）、テンキー１４から暗証番号を入力すると（ステップ２）、ＩＣカードでは券売機側から転送されてきた番号と設定されている暗証番号とを比較して認証処理を行う（ステップ３）。認証されなければ発券処理は行われない。認証され、割引ボタンが押されずに料金ボタンの何れかが選択されると（ステップ５Ｎ、ステップ６）、割引なしの通常の発券処理が行われる（ステップ７）。一方、割引ボタンが押されると（ステップ５Ｙ）、カード種別、カード履歴のチェックが行われる（ステップ８）。この処理は学生割引か、身障者割引かで割引率が異なるのでその種別の判断をするためにカードにセットされているフラグをみる処理と、割引の有効性をチェックするもので、学生割引の場合では、例えば、年間１０回の使用制限があるため、図２に示した使用回数をみることにより行われる。有効でなければ（ステップ９Ｎ）、割引による発券処理は行われず、有効であれば（ステップ９Ｙ）、この例では学生割引であるので、学割による料金表示が行われ（ステップ１０）、料金ボタンの何れかが選択されると、学割による発券処理が行われる（ステップ１２）。
【００１２】
なお、上記においては暗証番号により認証を行う例について説明したが、本発明は暗証番号に限らず、指紋、網膜、声紋等の個人特定情報を用いるようにしてもよく、その場合には適宜入力方法を変更する必要があり、指紋、網膜等の場合には、光学的読み取り装置を用い、声紋の場合には音声分析装置等を使用すればよい。
また、上記では学生割引、身障者割引について説明したが、本願発明はこれに限定されるものではなく、高齢者割引、株主優待割引、企画割引等さまざまな形の割引がある場合に適用可能であることは言うまでもない。
【００１３】
【発明の効果】
以上のように本発明によれば、ＩＣカードを使用して割引乗車券の発券処理を行うようにしたので、いちいち受益者証明を提出する必要がないため購入者側にとって購入手続きが簡素化されるとともに、発券者側も省力化を図ることができ、また暗証番号等の個人特定情報を用いて認証することにより不正使用の防止を徹底することができる。
【図面の簡単な説明】
【図１】  本発明の発券システムを説明する図である。
【図２】  ＩＣカードの記憶データを説明する図である。
【図３】  券売機のデータ処理制御機構を説明する図である。
【図４】  本発明における券売機を説明するための概念図である。
【図５】  割引乗車券発行時のパネル表示画面を示す図である。
【図６】  発券処理フローを示す図である。
【符号の説明】
１…ＩＣカード発行装置、２…ＩＣカード、３…券売機、４…定期券、１１…表示パネル、１２…選択ボタン、１３…ＩＣカード挿入口、１４…テンキー、１５…受口、２０…割引ボタン、３０…データ処理制御装置。
【図１】
0003821322.tif 000002
【図２】
0003821322.tif 000003
【図３】
0003821322.tif 000004
【図４】
0003821322.tif 000005
【図５】
0003821322.tif 000006
【図６】
0003821322.tif 000007